(57)【要約】【課題】防滴対策を施しても意匠性を損なうことなく、昇降路を昇降するかごなどに異常が発生してブザーが鳴った時に、外部にブザーの音を十分に報知することができるエレベータの乗場操作表示器を得る。【解決手段】表板の裏面に設けられたボックス内にブザーが収納されたエレベータの乗場案内表示器において、表板に設けられた報音穴と、この報音穴より上方で、表板に対して下方に向かうに従って離れるように斜設されたブザーとを備える。【選択図】  図３
2004359395.tif 000002
【特許請求の範囲】
【請求項１】
表板の裏面に設けられたボックス内にブザーが収納されたエレベータの乗場案内表示器において、前記表板に設けられた報音穴と、この報音穴より上方で、前記表板に対して下方に向かうに従って離れるように斜設されたブザーとを備えたことを特徴とするエレベータの乗場案内表示器。
【請求項２】
表板の裏面に設けられたボックス内にブザーが収納されたエレベータの乗場案内表示器において、前記表板に設けられた報音穴と、この報音穴より上方で、前記表板に対して下方に向かうに従って離れるように斜設されたブザーと、前記ボックス内部に設けられ、前記ブザーを取り付けるための傾斜面を有する取付部とを備えたことを特徴とするエレベータの乗場案内表示器。
【請求項３】
表板の裏面に設けられたボックス内にブザーが収納されたエレベータの乗場案内表示器において、前記表板に設けられた報音穴と、この報音穴より上方で、前記表板に対して下方に向かうに従って離れるように斜設されたブザーと、前記ボックス内部に設けられ、前記ブザーを取り付けるための傾斜面を有する取付部と、この取付部下部に連続して設けられ、下方に向かうに従って前記表板に近づく傾斜面を有し、この傾斜面の下端が前記報音穴の下端と略同位置とされた排水用案内部とを備えたことを特徴とするエレベータの乗場案内表示器。
【請求項４】
前記排水用案内部は、前記表板との間にパッキンが設けられたことを特徴とする請求項３に記載のエレベータの乗場案内表示器。
【発明の詳細な説明】
【０００１】
【発明の属する技術分野】
この発明は、防滴対策が施されたエレベータの乗場操作表示器に関するものである。
【０００２】
【従来の技術】
従来のエレベータの乗場操作表示器は、表板に報音穴が設けられ、この報音穴を介してブザーの音を外部に報知することができるように、表板の裏側のその報音穴と対向する位置にブザーが取り付けられている。しかし、エレベータの乗場が屋外に設置されているために乗場操作表示器が雨水に曝される場合には、表板に設けられた報音穴や表板の周囲から雨水が乗場操作表示器内部に浸入することにより、その内部に設置されているブザーなどが故障してしまうことがある。このため、防滴対策が必要なエレベータの乗場操作表示器には、表板に報音穴が設けられておらず、その表示器の周囲はパッキンなどで雨水の浸入を防止している。しかし、このような防滴対策では昇降路を昇降するかごなどに異常が発生してブザーが鳴った場合でも、ブザーの音が外部に十分伝達されない恐れがある。そこで、ブザーの容量を増加することなくその音を外部に容易に報知する目的で、表板に切抜き穴を形成し、この切抜き穴の前方に下部が開口し前面に音抜き穴が設けられたカバーを設け、このカバーの内側に遮水板を設け、この遮水板とカバーの内面との間に案内板を設けたものがある。（特許文献１参照）
【０００３】
【特許文献１】
特開平７−２４２３７５号公報
【０００４】
【発明が解決しようとする課題】
特許文献１記載のエレベータの乗場操作表示器は、表板に形成された切抜き穴の前面にカバーが設けられているため切抜き穴からの内部への雨水の侵入を防止することはできるが、切抜き穴の前面がカバーによって覆われてしまいその開口部が乗客の方向を向いていないことや、このカバーに音抜き穴が設けられる場合にはカバー内側に遮水板及び案内板が配置されるため下部に設けられた開口部をさらに塞いでしまうことから、ブザーの音が外部に十分伝達されない恐れがあった。また、このカバーは表板の表側に取り付けられているため、カバーのみが表板から突出してしまい意匠性を損ねる原因にもなっていた。
【０００５】
この発明は上述のような課題を解決するためになされたもので、その目的は、昇降路を昇降するかごなどに異常が発生してブザーが鳴った時に、外部にブザーの音を十分に報知することができ、同時に意匠性を損なうことのない防滴対策の施されたエレベータの乗場操作表示器を提供することである。
【０００６】
【課題を解決するための手段】
この発明に係るエレベータの乗場操作表示器は、表板に設けられた報音穴と、この報音穴より上方で、表板に対して下方に向かうに従って離れるように斜設されたブザーとを備えたものである。
【０００７】
【発明の実施の形態】
実施の形態１．
図１は、この発明の実施の形態１におけるエレベータの乗場操作表示器の正面図、図２はその縦断面図、図３は図２のＡ部の詳細図である。図において、エレベータの乗場に取り付けられ、その周囲から雨水などが浸入しないようにパッキンなどで防滴対策が施された表板１の裏面には、ボックス４が取り付けられている。このボックス４の内部には、エレベータの現在位置及び移動方向を乗客に知らせるための表示器２が表板１の裏面上部に設けられ、表板１の表側から乗客がその表示を確認することができる。また、乗客がエレベータを呼び寄せるための呼びボタン３はボックス４内部の表板１の裏面下部に設けられ、乗客が表板１の表側からボタン操作ができるように設置されている。この表示器２と呼びボタン３との中間に位置する表板１には、後述するブザー５の音を表板１の表側に伝播させるための多数の報音穴６が、表板１の面に対して垂直に貫通している。また、所定の角度を有するようにヘの字形状に折り曲げられた取付板７は、その上部短辺が表板１に設けられた報音穴６の上方でボルト１０とナット１１によって表板１に固定され、その下部長辺には表板１に設けられた報音穴６に対して所定の角度を有する傾斜面７ａが、下方に向かうにつれて表板１から離れる方向に備えられている。この傾斜面７ａには、ブザー５がその最下部の高さが表板１に設けられた報音穴６の最上部の高さよりも上方となるように取り付けられており、傾斜面７ａ同様に報音穴６に対して下方に向かうにつれて表板１から離れる方向で斜設されている。
【０００８】
この発明の実施の形態１によれば、ブザー５は表板１に設けられた報音穴６の上方に取り付けられているため、報音穴６の表側から進入した雨水は、ブザー５に付着することなくボックス４の下部へ落ちていく。このため、雨水が付着することによってブザー５が故障する恐れがない。また、ブザー５から表板１に設けられた報音穴６までに障害物がなく、ブザー５は報音穴６の方向を向いているため、ブザー５の音が報音穴６を介して表板１の表側に十分伝達することができ、外部にいる人間がブザー５の音を聞き取りにくくなるといったこともなくなる。さらに、このような防滴対策を施しても、表板１の表側には何の突出物もなく、その中央部に複数の報音穴６が貫通しているだけであるので、意匠性を損なうこともない。また、図３では取付板７を表板１に固定しているが、ブザー５を報音穴６の方向を向くように上方で斜設することができれば、取付板７を例えばボックス４などに固定しても、実施の形態１と同等な効果を得ることが可能となる。
【０００９】
実施の形態２．
図４は、この発明の実施の形態２における図２のＡ部の詳細図である。図において、略Ｖ形状に折り曲げられた取付板８は、その両端部をさらに外側に折り曲げられ、表板１と取付板８で略三角形の空域が形成されるように、ボルト１０とナット１１によってその両端部を表板１に固定されている。このため、取付板８の上部には下方に向かうにつれて表板１から離れる傾斜面８ａが、その下部には下方に向かうにつれて表板１裏面に近づきその下端８ｃで表板１の裏面に接触する傾斜面８ｂが備えられており、この傾斜面８ｂの下端８ｃの高さは、表板１に設けられた報音穴６の下端６ａの高さと略同等あるいは僅かに上方となるように表板１に固定されている。また、傾斜面８ａには、その最下部の高さが表板１に設けられた報音穴６の最上部の高さよりも上方となるように、ブザー５が取り付けられている。その他は実施の形態１と同様の構成である。
【００１０】
この発明の実施の形態１では、報音穴６からボックス４内部に雨水が浸入してもブザー５に付着することがないためにブザー５が故障することはなかったが、報音穴６より下方に器具などが設置されている場合には、ボックス４内部に侵入した雨水が報音穴６の下方に落下するため、侵入した雨水が付着することによりそれらの器具が故障する恐れがあった。しかし、この発明の実施の形態２によれば、報音穴６から侵入した雨水はブザー５の下方にある取付板８の傾斜面８ｂに付着し、その後付着した雨水はこの傾斜面８ｂを伝って表板１の裏側に達する。ここで傾斜面８ｂの下端８ｃは、表板１に設けられた報音穴６の下端６ａとほぼ同等あるいは僅かに上方の高さに配置されているため、表板１の裏面に達した雨水がこの報音穴６を通って表板１の表側に排出されるため、ボックス４内部の報音穴６より下方に配置されている器具に雨水などが付着することによりそれらの器具が故障するといった恐れがなくなる。また、表板１と取付板８の傾斜面８ａ及び８ｂとで形成された略三角形の空域下端の両端部だけ高くなるように傾斜面８ｂの下端８ｃの両端部に傾斜を形成したり、この両端部に別部材をろう付けしたり、取付板８の側面を全て覆ったりして略三角形の空域下部に流れ着いた雨水がその下端８ｃの両端部からボックス４下部に流れ出さないようにすることでよりよい効果を得ることもできる。
【００１１】
実施の形態３
図５はこの発明の実施の形態３における図２のＡ部の詳細図である。図において、取付板８の下部では、パッキン９が表板１と取付板８とで狭持されている。この場合も実施の形態２と同様に、パッキン９上部の表板１側の角９ａは、表板１に設けられた報音穴６の下端６ａとほぼ同等あるいは僅かに上方の高さとなるように配置されている。その他は、実施の形態２と同等の構成となっている。
【００１２】
この発明の実施の形態３によれば、表板１と取付板８との間にパッキン９が狭持されていることから、表板１に設けられた報音穴６から浸入した雨水が取付板８を伝って表板１の裏側に達したときに、取付板８と表板１との隙間から染み出てボックス４内部の報音穴６より下方に配置されている器具に付着することを防止することができる。
【００１３】
【発明の効果】
この発明は以上説明したように、表板に設けられた報音穴と、この報音穴より上方で、表板に対して下方に向かうに従って離れるように斜設されたブザーとを備える構成としたことで、防滴対策を施しても意匠性を損なうことなく、昇降路を昇降するかごなどに異常が発生してブザーが鳴った時でも、外部にブザーの音を十分に報知することができる。
【図面の簡単な説明】
【図１】この発明の実施の形態１におけるエレベータの乗場操作表示器の正面図である。
【図２】この発明の実施の形態１におけるエレベータの乗場操作表示器の縦断面図である。
【図３】この発明の実施の形態１における図２のＡ部の詳細図である。
【図４】この発明の実施の形態２における図２のＡ部の詳細図である。
【図５】この発明の実施の形態３における図２のＡ部の詳細図である。
【符号の説明】
１  表板
２  表示器
３  呼びボタン
４  ボックス
５  ブザー
６  報音穴
６ａ  報音穴６の下端
７、８  取付板
７ａ、８ａ、８ｂ  傾斜面
８ｃ  傾斜面８ｂの下端
９  パッキン
９ａ  角部
１０  ボルト
１１  ナット
【図１】
2004359395.tif 000003
【図２】
2004359395.tif 000004
【図３】
2004359395.tif 000005
【図４】
2004359395.tif 000006
【図５】
2004359395.tif 000007